(57)【要約】【課題】マイクコードがマイクケース内に直接引き込まれる形式のコンデンサマイクロホンにおいて、マイクコードの引き込み部分の電磁シールド性を高め、併せてマイクコードを簡単に固定できるようにする。【解決手段】端壁１１にコード挿通孔１２が形成されているマイクケース１０内に直接マイクコードが引き込まれるコンデンサマイクロホンにおいて、外径がマイクケース１０の内径とほぼ同径であり、かつ、コード挿通孔１２と同軸的に形成されたコード挿通孔３１を有するゲル状フェライトシート３０をマイクケース内の端壁１１の内面に沿って配置し、マイクコード２０をコード挿通孔１２，３１に通した後、所定の押圧手段４０にてゲル状フェライトシート３０を端壁１１に向けて押圧してコード挿通孔３１を縮径してマイクコード２０に密着させてマイクコード２０を固定する。【選択図】図１
2011023858.tif 000002
【特許請求の範囲】
【請求項１】
端壁に第１のコード挿通孔が形成されている金属製の筒体からなり、その内部に音声信号出力回路が収納されているマイクケースを備え、上記マイクケース内に上記第１のコード挿通孔から上記音声信号出力回路に接続されるマイクコードが引き込まれているコンデンサマイクロホンにおいて、
上記マイクケース内の上記端壁の内面に沿って、上記第１のコード挿通孔と同軸的に形成された第２のコード挿通孔を有するゲル状フェライトシートが配置されており、上記マイクコードが上記第１および第２のコード挿通孔を通して上記マイクケース内に引き込まれていることを特徴とするコンデンサマイクロホン。
【請求項２】
上記ゲル状フェライトシートは、その外径が上記マイクケースの内径とほぼ同径に形成されており、上記マイクケース内には、上記ゲル状フェライトシートを上記端壁に向けて押圧して上記第２のコード挿通孔を縮径して上記マイクコードに密着させる押圧手段が設けられていることを特徴とする請求項１に記載のコンデンサマイクロホン。
【請求項３】
上記押圧手段は、外径が上記マイクケースの内径よりも大径で周縁部分が弾性変形して上記マイクケースの内周面に係止可能な皿バネからなることを特徴とする請求項１または２に記載のコンデンサマイクロホン。
【請求項４】
端壁に第１のコード挿通孔が形成されている金属製の筒体からなるマイクケース内に、上記第１のコード挿通孔から引き込まれるマイクコードを固定するコンデンサマイクロホンにおけるマイクコードの固定方法において、
外径が上記マイクケースの内径とほぼ同径であり、かつ、上記第１のコード挿通孔と同軸的に形成された第２のコード挿通孔を有するゲル状フェライトシートを上記マイクケース内の上記端壁の内面に沿って配置し、上記マイクコードを上記第１および第２のコード挿通孔に通した後、所定の押圧手段にて上記ゲル状フェライトシートを上記端壁に向けて押圧して上記第２のコード挿通孔を縮径して上記マイクコードに密着させて、上記マイクコードを固定することを特徴とするコンデンサマイクロホンにおけるマイクコードの固定方法。
【発明の詳細な説明】
【技術分野】
【０００１】
本発明は、マイクケースの一端部側よりマイクコードを内部に引き込む形式のコンデンサマイクロホンに関し、さらに詳しく言えば、マイクコードの引き込み部分の電磁シールド性を高め、併せてマイクコードを簡単に固定し得る技術に関するものである。
【背景技術】
【０００２】
コンデンサマイクロホンは、そのマイクロホンユニットが備える静電型の音響電気変換器のインピーダンスが極めて高いため、インピーダンス変換器を含む音声信号出力用の電子回路をマイクロホンに内蔵している。インピーダンス変換器には、通常、ＦＥＴ（電界効果トランジスタ）が用いられている。
【０００３】
上記電子回路は、金属製のマイクケースによって形成されるシールド空間内に収納されているが、そのシールドが不完全であると、外来電磁波（特には、携帯電話機から放射される強力な電磁波）による高周波電流がマイクケース内に流れ込み、それがインピーダンス変換器によって検波されることにより、可聴周波数の雑音が発生することがある。
【０００４】
特に、タイピン型マイクロホンやグースネック型マイクロホン等のように、マイクコードがマイクケース内に直接引き込まれる形式のマイクロホンの場合には、そのマイクコードの引き込み部分におけるシールドが不完全になりやすい（例えば、特許文献１参照）。
【０００５】
他方において、マイクコードがマイクケース内に直接引き込まれる形式のマイクロホンの場合、マイクコードに加えられる引き抜き外力に抗する対策として、例えば特許文献２に記載されているように、マイクケース内でマイクコードに結び玉を形成することが一般的に行われている。
【０００６】
しかしながら、これによると、結び玉を形成する分、マイクケース内でのマイクコードの配線長が長くなるため、外来電磁波に対する対策として好ましいとは言えない。
【先行技術文献】
【特許文献】
【０００７】
【特許文献１】特開２００６−１２８８５０号公報（特には、段落００２０参照）
【特許文献２】特開２００６−１９８５４号公報（特には、図４参照）
【発明の概要】
【発明が解決しようとする課題】
【０００８】
したがって、本発明の課題は、マイクコードがマイクケース内に直接引き込まれる形式のコンデンサマイクロホンにおいて、マイクコードの引き込み部分の電磁シールド性を高め、併せてマイクコードを簡単に固定し得るようにすることにある。
【課題を解決するための手段】
【０００９】
上記課題を解決するため、本発明は、端壁に第１のコード挿通孔が形成されている金属製の筒体からなり、その内部に音声信号出力回路が収納されているマイクケースを備え、上記マイクケース内に上記第１のコード挿通孔から上記音声信号出力回路に接続されるマイクコードが引き込まれているコンデンサマイクロホンにおいて、上記マイクケース内の上記端壁の内面に沿って、上記第１のコード挿通孔と同軸的に形成された第２のコード挿通孔を有するゲル状フェライトシートが配置されており、上記マイクコードが上記第１および第２のコード挿通孔を通して上記マイクケース内に引き込まれていることを特徴としている。
【００１０】
また、本発明は、上記ゲル状フェライトシートは、その外径が上記マイクケースの内径とほぼ同径に形成されており、上記マイクケース内には、上記ゲル状フェライトシートを上記端壁に向けて押圧して上記第２のコード挿通孔を縮径して上記マイクコードに密着させる押圧手段が設けられていることを特徴としている。
【００１１】
本発明の好ましい態様によれば、上記押圧手段には、外径が上記マイクケースの内径よりも大径で周縁部分が弾性変形して上記マイクケースの内周面に係止可能な皿バネが用いられる。
【００１２】
本発明には、マイクコードの固定方法も含まれる。すなわち、本発明のマイクコードの固定方法は、 端壁に第１のコード挿通孔が形成されている金属製の筒体からなるマイクケース内に、上記第１のコード挿通孔から引き込まれるマイクコードを固定するコンデンサマイクロホンにおけるマイクコードの固定方法において、外径が上記マイクケースの内径とほぼ同径であり、かつ、上記第１のコード挿通孔と同軸的に形成された第２のコード挿通孔を有するゲル状フェライトシートを上記マイクケース内の上記端壁の内面に沿って配置し、上記マイクコードを上記第１および第２のコード挿通孔に通した後、所定の押圧手段にて上記ゲル状フェライトシートを上記端壁に向けて押圧して上記第２のコード挿通孔を縮径して上記マイクコードに密着させて、上記マイクコードを固定することを特徴としている。
【発明の効果】
【００１３】
本発明によれば、マイクケース内に引き込まれたマイクコードの周りにゲル状フェライトシートが配置されているため、マイクコードの引き込み部分における電磁シールド性が高められ、雑音源となる高周波電流のマイクケース内への侵入を阻止することができる。
【００１４】
また、所定の押圧手段にてゲル状フェライトシートを押圧し、そのコード挿通孔（第２のコード挿通孔）を縮径させてマイクコードに密着させることにより、マイクコードを固定することができる。すなわち、ゲル状フェライトシートにより、雑音源となる高周波電流のマイクケース内への侵入を阻止することができるとともに、マイクコードをも固定することができる。
【図面の簡単な説明】
【００１５】
【図１】本発明の実施形態に係るコンデンサマイクロホンの要部を示す断面図。
【図２】上記コンデンサマイクロホンにおけるマイクコードの固定方法を説明するための断面図。
【図３】押圧手段に用いられる皿バネを示す斜視図。
【発明を実施するための形態】
【００１６】
次に、図１ないし図３を参照して、本発明の実施形態について説明するが、本発明はこれに限定されるものではない。
【００１７】
図１に示すように、このコンデンサマイクロホン１は、例えば黄銅合金等の金属材からなるマイクケース１０を備える。
【００１８】
マイクケース１０は円筒状であって、その一端側に端壁１１を有し、端壁１１にはマイクコード２０を引き込むためのコード挿通孔（第１のコード挿通孔）１２が穿設されている。また、端壁１１の外面側には、ゴム材等からなるコードブッシュ１３が設けられている。
【００１９】
図示されていないが、この実施形態において、マイクケース１０の他端側には、静電型の音響電気変換器を有するマイクロホンユニットが装着されており、マイクケース１０内には、そのマイクロホンユニットのためのＦＥＴ（電界効果トランジスタ）等を含む音声信号出力回路が収納されている。
【００２０】
なお、上記マイクロホンユニットは、マイクケース１０と分離して構成され、上記マイクコード２０とは別のマイクコードを介してマイクケース１０内の上記音声信号出力回路と電気的に接続されていてもよい。
【００２１】
本発明によると、マイクケース１０内の端壁１１の内面に沿ってゲル状フェライトシート３０が配置される。
【００２２】
ゲル状フェライトシート３０には、端壁１１のコード挿通孔１２と同軸的にコード挿通孔（第２のコード挿通孔）３１が穿設されており、マイクケーブル２０は、これらの各コード挿通孔１２，３１を通してマイクケース１０内に引き込まれる。
【００２３】
このように、マイクケーブル２０の周りにゲル状フェライトシート３０を配置することにより、フェライトビーズと同様に、マイクケース１０内への高周波電流の侵入を阻止することができる。なお、本発明に適用できるゲル状フェライトシート３０には、例えばＦＤＫ社製の品名ＧＥ４５シリーズがある。
【００２４】
また、本発明では、ゲル状フェライトシート３０をマイクケーブル２０の固定手段としても使用している。
【００２５】
図２を併せて参照して、ゲル状フェライトシート３０を、その外径がマイクケース１０の内径とほぼ等しい円盤状に形成して端壁１１の内面に配置して、マイクケーブル２０を各コード挿通孔１２，３１を通してマイクケース１０内に引き込む。
【００２６】
次に、ゲル状フェライトシート３０に座金５０をあてがい、マイクケース１０内から押圧手段４０により、座金５０を介してゲル状フェライトシート３０を端壁１１に向けて押圧する。
【００２７】
このとき、ゲル状フェライトシート３０の外周縁はマイクケース１０の内周面にて押さえられているため、ゲル状フェライトシート３０は内径側に膨らみ、図１に示すように、コード挿通孔３１が縮径してマイクコード２０に密着する。これにより、マイクコード２０が固定される。
【００２８】
なお、押圧手段４０は、図３に示す皿バネ４１であることが好ましい。皿バネ４１は、コード挿通孔３１よりも大径である中心孔４２ａを有するドーナツ板状の基板４２と、基板４２の外周縁から漸次拡径する円錐状として基板４２に一体に形成されたフランジ４３とを備えている。
【００２９】
フランジ４３の自由端側の径はマイクケース１０の内径よりも大径で、フランジ４３には、弾性変形しやすくするための複数のスリット溝４３ａが自由端側から基板４２側に向けて好ましくは等間隔で形成されている。
【００３０】
この皿バネ４１によれば、基板４２が座金５０に当接するようにしてマイクケース１０内に押し込むことにより、フランジ４３がマイクケース１０の内周面に係止して戻り止めとして作用するため、皿バネ４１をマイクケース１０内に押し込むだけで、ゲル状フェライトシート３０に所定の押圧力を付与することができる。
【００３１】
上記実施形態では、ゲル状フェライトシート３０に均一な押圧力をかけるため、座金５０を使用しているが、皿バネ４１の基板４２が大径であれば、座金５０は省略されてもよい。また、別の態様として、皿バネ４１の基板４２に座金５０を溶接等により一体としてもよい。
【符号の説明】
【００３２】
１０  マイクケース
１１  端壁
１２  コード挿通孔（第１のコード挿通孔）
１３  コードブッシュ
２０  マイクコード
３０  ゲル状フェライトシート
３１  コード挿通孔（第２のコード挿通孔）
４０  押圧手段
４１  皿バネ
５０  座金
【図１】
2011023858.tif 000003
【図２】
2011023858.tif 000004
【図３】
2011023858.tif 000005